(57)【要約】【課題】結合性および形態保持性等に優れたサークルクッションを提供する。【解決手段】外周面が表皮材で覆われた概略箱状のクッションブロック１１を複数連結してなる。各クッションブロック１１の一端部１１ａおよび他端部１１ｂにそれぞれ連結部を有し、クッションブロック１１相互の連結部をファスナ１３を介して結合する。相互に連結すべき一方のクッションブロック１１の一端部１１ａにおける側面と、他方のクッションブロック１１の他端部１１ｂにおける端面それぞれにファスナ１３を有する。ファスナ１３の周囲に被覆片１５，１６が付設される。【選択図】　　　　図３
2004057358.tif 000002
【特許請求の範囲】
【請求項１】
外周面が表皮材で覆われた概略箱状のクッションブロックを複数連結してなるサークルクッションであって、
各クッションブロックの一端部および他端部にそれぞれ連結部を有し、クッションブロック相互の連結部がファスナを介して結合されるようにしたことを特徴とするサークルクッション。
【請求項２】
相互に連結すべき一方のクッションブロックの一端部における側面と、他方のクッションブロックの他端部における端面それぞれに、前記ファスナを有することを特徴とする、請求項１に記載のサークルクッション。
【請求項３】
前記ファスナは前記表皮材に取り付けられ、その周囲に被覆片が付設されたことを特徴とする、請求項１または２に記載のサークルクッション。
【請求項４】
連結されたクッションブロックの内側領域にメッシュシートを敷設するとともに、各クッションブロックおよび前記メッシュシートをファスナを介して結合し、該メッシュシート上にマットを載置したことを特徴とする、請求項１〜３のいずれかに記載のサークルクッション。
【発明の詳細な説明】
【０００１】
【発明の属する技術分野】
本発明は、主として商業施設あるいは公共施設向けとして好適に使用されるサークルクッションに関する。
【０００２】
【従来の技術】
たとえばデパートや子供施設では簡易式の幼児用遊び場が設置され、親がその子供を見守りながら遊ばせるようにしている。この種の遊び場として、芯材をウレタンにしたレザー張りのソフト遊具用類を複数連結してなるサークルクッション等と称するものが開発されている。
【０００３】
このサークルクッションは、ソフト遊具用類がたとえば概略四角形の遊び場を構成するように面ファスナを使って繋ぎ合わされる。幼児等はそのサークルクッション内に入って、好みの遊び道具等を使って遊ぶことができる。
【０００４】
【発明が解決しようとする課題】
しかしながら、従来のサークルクッションでは、ソフト遊具用類の各端部を連結している面ファスナ等が外れ、あるいは位置ずれしてしまうことがあり、結合性を確保しあるいは形態を保持するのが容易でなかった。
【０００５】
本発明は以上の点に鑑み、結合性および形態保持性等に優れたサークルクッションを提供することを目的とする。
【０００６】
【課題を解決するための手段】
本発明のサークルクッションは、外周面が表皮材で覆われた概略箱状のクッションブロックを複数連結してなるサークルクッションであって、各クッションブロックの一端部および他端部にそれぞれ連結部を有し、クッションブロック相互の連結部がファスナを介して結合されるようにしたことを特徴とする。
【０００７】
本発明のサークルクッションにおいて、相互に連結すべき一方のクッションブロックの一端部における側面と、他方のクッションブロックの他端部における端面それぞれに、前記ファスナを有することを特徴とする。
【０００８】
本発明のサークルクッションにおいて、前記ファスナは、好ましくは、前記表皮材に取り付けられ、その周囲に被覆片が付設される。
【０００９】
本発明のサークルクッションにおいて、好ましくは、連結されたクッションブロックの内側領域にメッシュシートを敷設するとともに、各クッションブロックおよびメッシュシートをファスナを介して結合し、このメッシュシート上にマットを載置する。
【００１０】
本発明によれば、サークルクッションは連結部を介して、典型的には４つのクッションブロックを用いてそれらが方形に連結される。ブロックはファスナを介して相互に簡単かつ確実に結合される。また、サークルクッションの内側に敷かれるメッシュシートは、各クッションブロックとファスナを介して結合される。このように各部材をファスナを介して結合することで、高い結合性を確保することができる。
【００１１】
たとえば４つのクッションブロックが連結されてなるサークルクッションは、方形の閉じた領域を構成し、その内側に遊び場等としての空間が形成される。本発明では、クッションブロック相互が所定の結合強度で連結されているので、サークルクッションとしては一定強度で一体化しており、負荷荷重等が加わっても位置ずれや外れ等が起こらずに、その形態を安定して保持することができる。
【００１２】
【発明の実施の形態】
以下、図面に基づき、本発明によるサークルクッションの好適な実施の形態を説明する。
図１は、この実施形態におけるサークルクッションを示している。この例ではサークルクッション１０は４つのクッションブロック１１が方形に連結されてなり、床に設置されることによりその内側に遊び場としての空間が形成される。また、サークルクッション１０の内側には図２に示されるように、メッシュシート１２が敷設される。
【００１３】
クッションブロック１１は、たとえば芯材をウレタンにしたレザー張りで構成され、概略箱状を呈する。各クッションブロック１１には、その一端部１１ａおよび他端部１１ｂのそれぞれに、連結する相手のクッションブロック１１に対する連結部が設定される。各クッションブロック１１は、これらの連結部を介して相互に連結可能になっている（図１、点線部Ａ）。なお、クッションブロック１１は、図示の例では断面がほぼ四角形の箱状を呈しているが、これに限らず蒲鉾形、星形、円形など種々の形状とすることができる。
【００１４】
ここで、図３はクッションブロック１１の連結部の構成例を示している。本実施形態では図１に示したようにサークルクッション１０は方形に連結されるが、この場合、典型的には一方のクッションブロック１１の一端部１１ａにおける側面と、他方のクッションブロック１１の他端部１１ｂにおける端面とが結合される。このように設定される連結部それぞれにファスナ１３を有し、このファスナ１３を介してクッションブロック１１相互を連結する。
【００１５】
クッションブロック１１の一端部１１ａおよび他端部１１ｂの連結部は、図示の例ではほぼ矩形に構成され、ファスナ１３は主にその矩形の底辺部を除く３辺に対して設定される。この場合、図４（ｂ）に示されるように各連結部において、ファスナ１３の始点１３ａおよび終点１３ｂを有する。終点１３ｂは、連結部の矩形の底辺部に設定されるが、該終点１３ｂにはファスナ１３の爪を格納するためのポケット１４が設けられる。なお、クッションブロック１１が断面蒲鉾形に形成される場合は、ファスナ１３はアーチ状に設定することができる。
【００１６】
ファスナ１３は、クッションブロック１１の表皮材（ウレタン芯材に被着するレザー張り）に取り付けることができる。また、この例ではクッションブロック１１の一端部１１ａ側に設けられたファスナ１３の外側周囲には、適度な幅を有する被覆片１５が付設される。また、クッションブロック１１の他端部１１ｂ側に設けられたファスナ１３の外側周囲には、被覆片１５よりも幾分幅狭の被覆片１６が付設される。これらの被覆片１５，１６によってファスナ１３を覆い隠すことができるようになっている。
【００１７】
メッシュシート１２は、図２に示されるように、クッションブロック１１が連結されたサークルクッション１０の内側領域とほぼ同一の面積を有する。また、メッシュシート１２の外周部およびサークルクッション１０の内周部（各クッションブロック１１の内側下端部）にはそれぞれファスナ１７が設けられている。ファスナ１７を介して各クッションブロック１１およびメッシュシート１２を結合することができる。
【００１８】
上記構成において、図３に示すように一方のクッションブロック１１の一端部１１ａにおける側面のファスナ１３と、他方のクッションブロック１１の他端部１１ｂにおける端面のファスナ１３とを繋ぐことで、隣り合うクッションブロック１１相互が連結される。
【００１９】
この場合、ファスナ１３の爪は図４（ｂ）のように始点１３ａから終点１３ｂまで走行し、終点１３ｂのポケット１４に格納される。また、クッションブロック１１を連結したファスナ１３は、被覆片１５，１６によって覆い隠され、良好な概観が確保される。
【００２０】
この例では、図１のように方形に連結されたサークルクッション１０の内側にはメッシュシート１２が敷設される。各クッションブロック１１およびメッシュシート１２はファスナ１７を介して結合され、さらにこのメッシュシート１２上に、図５に示されるようにマット１８が載置される。このマット１８は凹凸係合により結合・分離可能に構成されたものであってよく、サークルクッション１０の内側にぴったりと配置される。
【００２１】
このようにファスナ１３によって連結されたサークルクッション１０では、各連結部が不用意に外れることはなく、高い結合性が確保される。サークルクッション１０の内側に敷かれたメッシュシート１２は、各クッションブロック１１とファスナ１７を介して結合され、その上に載置されたマット１８をずれないように保持することができる。
【００２２】
以上本発明を実施の形態について説明したが、本発明は上記実施形態にのみ限定されるものでなく、本発明の範囲内で種々の変更等が可能であり、上記実施形態と同様な作用効果を得ることができる。
たとえば、４つのクッションブロックを方形に連結してサークルクッションを構成する例を説明したが、その個数等は適宜変更可能である。また、方形の場合に限らず各種の多角形又は円形に構成することも可能である。サークルクッションを円形に形成する場合は、例えば、適当に湾曲した複数のクッションブロックの各端面を繋ぎあわせていけばよい。
【００２３】
【発明の効果】
以上説明したように本発明によれば、クッションブロックをファスナで繋ぐだけの簡単な作業でプレイコーナー等の小空間を完成することができ、手間や時間がかからない。完成後のサークルクッションにおいては、各連結部が不用意に外れることはなく、高い結合性が確保されるともにマット類等をずれずに適正に敷くことができる等の利点を有している。
【図面の簡単な説明】
【図１】本発明の実施形態におけるサークルクッションを示す外観斜視図である。
【図２】本発明の実施形態におけるサークルクッションを示す平面図である。
【図３】本発明の実施形態におけるサークルクッションの連結部まわりを示す斜視図である。
【図４】本発明の実施形態に係るファスナの構成例示す平面図および側面図である。
【図５】本発明の実施形態におけるサークルクッションの連結部まわりを示す部分斜視図である。
【符号の説明】
１０　　サークルクッション
１１　　クッションブロック
１１ａ　クッションブロックの一端部
１１ｂ　クッションブロックの他端部
１２　　メッシュシート
１３　　ファスナ
１３ａ　ファスナの始点
１３ｂ　ファスナの終点
１４　　ポケット
１５，１６　　被覆片
１７　　ファスナ
１８　　マット
【図１】
2004057358.tif 000003
【図２】
2004057358.tif 000004
【図３】
2004057358.tif 000005
【図４】
2004057358.tif 000006
【図５】
2004057358.tif 000007